(57)【要約】【課題】光波長分割多重伝送システムにおいて、既設のトランスポンダに加えてトランスポンダを新設するような場合に、運用中の回線の光信号の出力を停止することなく、シャットダウン制御を行うことを可能にする。【解決手段】トランスポンダ３０Ａ−３０Ｎには、光信号の入力がないときに、入力断信号をシャットダウン制御部６に送信する入力断検出部３１Ａ−３１Ｎが設けられている。シャットダウン制御部６は、反射光検出部５から反射光検出信号５ａを受信し、かつ、全てのトランスポンダの入力断検出手段３１Ａ−３１Ｎから入力断信号３３ａ−３３ｎを受信したときに、光増幅部３の光出力を停止するシャットダウン制御を実行する。【選択図】　　図１
2004147055.tif 000002
【特許請求の範囲】
【請求項１】
波長分割多重光信号を増幅する光増幅器と、
前記光増幅器が出力した光信号を各波長に分波する光分波器と、
前記光分波器により分波された光信号を受信する１個または２個以上のトランスポンダと、
からなる波長分割多重伝送システムにおいて、
前記光増幅器は、
前記光増幅器の出力側からの反射光のレベルが規定値以上に増加し、かつ、前記トランスポンダの全てに光信号が入力されない場合には、前記光増幅器からの光信号の出力を停止することを特徴とする波長分割多重伝送システム。
【請求項２】
波長分割多重光信号を増幅する光増幅器と、
前記光増幅器が出力した光信号を各波長に分波する光分波器と、
前記光分波器により分波された光信号を受信する１個または２個以上のトランスポンダと、
からなる波長分割多重伝送システムであって、
前記光増幅器は、
入力した前記波長分割多重光信号を増幅する光増幅部と、
前記光増幅器の出力側からの反射光を分離する光分岐部と、
前記光分岐部により分離された反射光のレベルが規定値以上に増加した場合に反射光検出信号を出力する反射光検出部と、
前記光増幅部の光出力を停止するシャットダウン制御を行うシャットダウン制御部と、からなる波長分割多重伝送システムにおいて、
前記トランスポンダは、光信号の入力がないときに、入力断信号を前記シャットダウン制御部に送信する入力断検出手段を備え、
前記シャットダウン制御部は、前記反射光検出部から前記反射光検出信号を受信し、かつ、全ての前記トランスポンダの前記入力断検出手段から前記入力断信号を受信したときに、前記光増幅部の光出力を停止するシャットダウン制御を行うことを特徴とする波長分割多重伝送システム。
【請求項３】
前記入力断検出手段は、予め定められた時間が経過しても前記光信号の入力がないときに、前記入力断信号を前記シャットダウン制御部に送信することを特徴とする請求項２に記載の波長分割多重伝送システム。
【請求項４】
前記トランスポンダは、使用可能になったときに使用可能信号を前記シャットダウン制御部に送信する使用可能信号送信部を備えており、
前記シャットダウン制御部は、前記使用可能信号をまだ受信していないトランスポンダから送信されてきた入力断信号は受信しないことを特徴とする請求項１または２に記載の波長分割多重伝送システム。
【請求項５】
波長分割多重光信号を増幅する光増幅器と、前記光増幅器が出力した光信号を各波長に分波する光分波器と、前記光分波器により分波された光信号を受信する１個または２個以上のトランスポンダと、からなる波長分割多重伝送システムにおけるシャットダウン制御方法であって、
前記光増幅器の出力側からの反射光のレベルが規定値以上に増加したか否かを検出する第一の過程と、
前記トランスポンダの全てに光信号が入力されていないか否かを検出する第二の過程と、
前記光増幅器の出力側からの反射光のレベルが規定値以上に増加し、かつ、前記トランスポンダの全てに光信号が入力されていない場合に、前記光増幅器からの光信号の出力を停止する第三の過程と、
を備えることを特徴とするシャットダウン制御方法。
【請求項６】
前記第二の過程においては、予め定められた時間内に前記光信号が入力されていないか否かが検出されることを特徴とする請求項５に記載のシャットダウン制御方法。
【請求項７】
前記トランスポンダが使用可能になったときに、前記トランスポンダが使用可能信号を前記光増幅器に送信する第四の過程を備えており、
前記使用可能信号をまだ受信していないトランスポンダに対しては、光信号が入力されていないか否かを検出しないことを特徴とする請求項５または６に記載のシャットダウン制御方法。
【請求項８】
波長分割多重光信号を増幅する光増幅器と、前記光増幅器が出力した光信号を各波長に分波する光分波器と、前記光分波器により分波された光信号を受信する１個または２個以上のトランスポンダと、からなる波長分割多重伝送システムにおいて、前記光増幅器の光出力を停止するシャットダウン制御を行うシャットダウン制御方法をコンピュータに実行させるためのプログラムであって、
前記プログラムが行う処理は、
前記光増幅器の出力側からの反射光のレベルが規定値以上に増加したか否かを検出する第一の処理と、
前記トランスポンダの全てに光信号が入力されていないか否かを検出する第二の処理と、
前記光増幅器の出力側からの反射光のレベルが規定値以上に増加し、かつ、前記トランスポンダの全てに光信号が入力されていない場合に、前記光増幅器からの光信号の出力を停止する第三の処理と、
からなるものであるプログラム。
【請求項９】
前記第二の処理においては、予め定められた時間内に前記光信号が入力されていないか否かが検出されることを特徴とする請求項８に記載のプログラム。
【請求項１０】
前記トランスポンダが使用可能になったときに、前記トランスポンダは使用可能信号を前記光増幅器に送信し、
前記プログラムは、前記使用可能信号をまだ受信していないトランスポンダに対しては、前記第二の処理を行わないことを特徴とする請求項８または９に記載のプログラム。
【発明の詳細な説明】
【０００１】
【発明の属する技術分野】
本発明は、光波長分割多重伝送システムにおけるシャットダウン制御システム及びシャットダウン制御方法に関し、特に、トランスポンダを増設する際に、運用中のトランスポンダの回線の停止を回避することができるシャットダウン制御システム及びシャットダウン制御方法に関する。
【０００２】
【従来の技術】
光ファイバーを用いた通信システムとして、これまでに、高速大容量の通信を可能にするため種々のシステムが考案されている。そのような通信システムの一つとして、光波長分割多重伝送システムがある。
【０００３】
光波長分割多重伝送とは、波長の異なるレーザー光に各光信号を重畳させて送信することにより、高速大容量の通信を行う方式である。
【０００４】
図３は、従来の光波長分割多重伝送システム３００を示す機能ブロック図である。
【０００５】
従来の光波長分割多重伝送システム３００は、光増幅器３１０と、光分波器３２０と、Ｎ（Ｎは１以上の正の整数）個のトランスポンダ３３０Ａ−３３０Ｎと、から構成されている。
【０００６】
光増幅器３１０は、光ファイバー伝送路３０１を介して入力したＷＤＭ信号３０２を増幅する光増幅部３０３と、光増幅器３１０の出力側からの反射光を分離する光分岐器３０４と、光増幅器３１０の出力側からの反射光レベルが規定値以上に増加した場合に、反射光検出信号３０５ａを出力する反射光検出部３０５と、光増幅部３０３の光出力を停止するシャットダウン制御を行うシャットダウン制御部３０６と、から構成されている。
【０００７】
光分波器３２０は、光増幅器３１０から出力された光信号を各波長に分波し、分波した光信号をトランスポンダ３３０Ａ−３３０Ｎの各々に送信する。
【０００８】
図３に示した従来の光波長分割多重伝送システム３００においては、シャットダウン制御部３０６が反射光検出部３０５から反射光検出信号３０５ａを受信すると、直ちに、シャットダウン制御部３０６はシャットダウン制御信号３０６ａを光増幅部３０３に送信し、シャットダウン制御を実行していた。
【０００９】
すなわち、従来の光波長分割多重伝送システム３００においては、光増幅器３１０の出力側からの反射光レベルが規定値以上に増加すると、光増幅部３０３からの光信号の出力が停止された（例えば、特許文献１）。
【００１０】
【特許文献１】
特開平９−２００１３０号公報（第３−５頁、図１及び図２）
【００１１】
【発明が解決しようとする課題】
しかしながら、従来の光波長分割多重伝送システム３００における上記のシャットダウン制御によれば、新たなトランスポンダを増設する際に、ファイバースコープなどで見つけられないような僅かな傷やゴミが光ケーブルの端面についた場合、または、光ファイバーの内部に異常が発生したような場合には、光増幅器３１０の出力側からの反射光が規定値よりも増加し、シャットダウンが実行される。このため、運用中の既設のトランスポンダの回線の光信号の出力が停止されてしまうことがあった。
【００１２】
本発明は、このような問題点に鑑みてなされたものであり、光波長分割多重伝送システムにおいて、既設のトランスポンダに加えてトランスポンダを新設するような場合に、運用中の回線の光信号の出力を停止することなく、シャットダウン制御を行うことを可能にする光波長分割多重伝送システム及び同システムにおけるシャットダウン制御方法を提供することを目的とする。
【００１３】
【課題を解決するための手段】
この目的を達成するため、本発明は、波長分割多重光信号を増幅する光増幅器と、前記光増幅器が出力した光信号を各波長に分波する光分波器と、前記光分波器により分波された光信号を受信する１個または２個以上のトランスポンダと、からなる波長分割多重伝送システムにおいて、前記光増幅器は、前記光増幅器の出力側からの反射光のレベルが規定値以上に増加し、かつ、前記トランスポンダの全てに光信号が入力されない場合には、前記光増幅器からの光信号の出力を停止することを特徴とする波長分割多重伝送システムを提供する。
【００１４】
さらに、本発明は、波長分割多重光信号を増幅する光増幅器と、前記光増幅器が出力した光信号を各波長に分波する光分波器と、前記光分波器により分波された光信号を受信する１個または２個以上のトランスポンダと、からなる波長分割多重伝送システムであって、前記光増幅器は、入力した前記波長分割多重光信号を増幅する光増幅部と、前記光増幅器の出力側からの反射光を分離する光分岐部と、前記光分岐部により分離された反射光のレベルが規定値以上に増加した場合に反射光検出信号を出力する反射光検出部と、前記光増幅部の光出力を停止するシャットダウン制御を行うシャットダウン制御部と、からなる波長分割多重伝送システムにおいて、前記トランスポンダは、光信号の入力がないときに、入力断信号を前記シャットダウン制御部に送信する入力断検出手段を備え、前記シャットダウン制御部は、前記反射光検出部から前記反射光検出信号を受信し、かつ、全ての前記トランスポンダの前記入力断検出手段から前記入力断信号を受信したときに、前記光増幅部の光出力を停止するシャットダウン制御を行うことを特徴とする波長分割多重伝送システムを提供する。
【００１５】
本発明に係る波長分割多重伝送システムによれば、シャットダウン制御部は、反射光検出信号のみならず、全てのトランスポンダの入力断検出手段から入力断信号を受信しなければ、光増幅部の光出力を停止しない。このため、例えば、トランスポンダを増設した場合に、光増幅器の出力側からの反射光のレベルが規定値以上に増加しても、稼働中のトランスポンダの入力断検出手段から入力断信号を受信しない限り、シャットダウン制御部は、光増幅器からの光信号の出力を停止しない。このように、既設のトランスポンダに加えてトランスポンダを新設するような場合、運用中の回線の光信号の出力を停止することなく、シャットダウン制御を行うことが可能になる。
【００１６】
入力断検出手段は、光信号の入力がなくなったことを検出することができるものである限り、どのような構成のものでも用いることができる。例えば、入力断検出手段としては、予め定められた時間が経過しても光信号の入力がないときに、入力断信号をシャットダウン制御部に送信するものとして構成することができる。
【００１７】
前記トランスポンダは、使用可能になったときに使用可能信号を前記シャットダウン制御部に送信する使用可能信号送信部を備えるものとして構成することができる。この場合、前記シャットダウン制御部は、前記使用可能信号をまだ受信していないトランスポンダから送信されてきた入力断信号は受信しないものとして構成することができる。
【００１８】
これにより、使用可能な状態になっていないトランスポンダから誤って入力断信号が送信されてきた場合であっても、そのような入力断信号は誤信号として無視することが可能である。
【００１９】
また、本発明は、波長分割多重光信号を増幅する光増幅器と、前記光増幅器が出力した光信号を各波長に分波する光分波器と、前記光分波器により分波された光信号を受信する１個または２個以上のトランスポンダと、からなる波長分割多重伝送システムにおけるシャットダウン制御方法であって、前記光増幅器の出力側からの反射光のレベルが規定値以上に増加したか否かを検出する第一の過程と、前記トランスポンダの全てに光信号が入力されていないか否かを検出する第二の過程と、前記光増幅器の出力側からの反射光のレベルが規定値以上に増加し、かつ、前記トランスポンダの全てに光信号が入力されていない場合に、前記光増幅器からの光信号の出力を停止する第三の過程と、を備えることを特徴とするシャットダウン制御方法を提供する。
【００２０】
例えば、前記第二の過程においては、予め定められた時間内に前記光信号が入力されていないか否かが検出される。
【００２１】
本シャットダウン制御方法は、前記トランスポンダが使用可能になったときに、前記トランスポンダが使用可能信号を前記光増幅器に送信する第四の過程を備えルことができる。この場合、前記使用可能信号をまだ受信していないトランスポンダに対しては、光信号が入力されていないか否かを検出しない。
【００２２】
さらに、本発明は、波長分割多重光信号を増幅する光増幅器と、前記光増幅器が出力した光信号を各波長に分波する光分波器と、前記光分波器により分波された光信号を受信する１個または２個以上のトランスポンダと、からなる波長分割多重伝送システムにおいて、前記光増幅器の光出力を停止するシャットダウン制御を行うシャットダウン制御方法をコンピュータに実行させるためのプログラムであって、前記プログラムが行う処理は、前記光増幅器の出力側からの反射光のレベルが規定値以上に増加したか否かを検出する第一の処理と、前記トランスポンダの全てに光信号が入力されていないか否かを検出する第二の処理と、前記光増幅器の出力側からの反射光のレベルが規定値以上に増加し、かつ、前記トランスポンダの全てに光信号が入力されていない場合に、前記光増幅器からの光信号の出力を停止する第三の処理と、からなるものであるプログラムを提供する。
【００２３】
例えば、前記第二の処理においては、予め定められた時間内に前記光信号が入力されていないか否かが検出される。
【００２４】
前記トランスポンダが使用可能になったときに、前記トランスポンダは使用可能信号を前記光増幅器に送信し、この場合、前記プログラムは、前記使用可能信号をまだ受信していないトランスポンダに対しては、前記第二の処理を行わないものとすることができる。
【００２５】
【発明の実施の形態】
図１は、本発明の第一の実施形態に係る波長分割多重伝送システム１００の構成を示す機能ブロック図である。
【００２６】
本実施形態に係る光波長分割多重伝送システム１００は、光増幅器１０と、光分波器２０と、Ｎ（Ｎは１以上の正の整数）個のトランスポンダ３０Ａ−３０Ｎと、ディスプレイ４０と、から構成されている。
【００２７】
光増幅器１０は、光ファイバー伝送路１を介して入力したＷＤＭ（Ｗａｖｅｌｅｎｇｔｈ　Ｄｉｖｉｓｉｏｎ　Ｍｕｌｔｉｐｌｅｘｉｎｇ）信号２を増幅する光増幅部３と、光増幅器１０の出力側からの反射光を分離する光分岐器４と、光増幅器１０の出力側からの反射光レベルが規定値以上に増加した場合に、反射光検出信号５ａを出力する反射光検出部５と、光増幅部３に対してシャットダウン制御信号６ａを発信し、光増幅部３の光出力を停止するシャットダウン制御を行うシャットダウン制御部６と、から構成されている。
【００２８】
光分波器２０は、光増幅器１０から出力された光信号を各波長に分波し、分波した光信号をトランスポンダ３０Ａ−３０Ｎの各々に送信する。
【００２９】
光分波器２０により分波された光信号を受信したトランスポンダ３０Ａ−３０Ｎの各々は、受信した光信号を電気信号に変換し、所定の通信機器（図示せず）に送信する。
【００３０】
トランスポンダ３０Ａ−３０Ｎの各々には、入力断検出部３１Ａ−３１Ｎが設けられている。入力断検出部３１Ａ−３１Ｎは、所定の時間、光信号を受信しなかった場合に、光ファイバー伝送路３２を介して、シャットダウン制御部６に入力断信号３３ａ−３３ｎを送信する。
【００３１】
ディスプレイ４０には、反射光検出部５が発信した反射光検出信号５ａとシャットダウン制御部６が発信したシャットダウン制御信号６ａが表示されるようになっている。本波長分割多重伝送システム１００の管理者はこのディスプレイ４０の表示により反射光検出信号５ａあるいはシャットダウン制御信号６ａが発信されたことを知ることができる。
【００３２】
以上のような構造を有する本実施形態に係る波長分割多重伝送システム１００は次のように動作する。
【００３３】
先ず、光ファイバー伝送路１を介して伝送されるＷＤＭ信号２が光増幅部３に入力される。
【００３４】
光増幅部３において増幅された光信号は、光分波器４を介して光分波部２０に入力される。
【００３５】
反射光検出部５は、光増幅器１０の出力側からの反射光のレベルを常時モニターしている。この反射光のレベルが予め定められた規定値以上に増加した場合、反射光検出部５は反射光検出信号５ａをシャットダウン制御部６に出力する。
【００３６】
光分波部２０において各波長に分波された光信号は各トランスポンダ３０Ａ−３０Ｎに送信される。
【００３７】
ここで、各トランスポンダ３０Ａ−３０Ｎに設けられている入力断検出部３１Ａ−３１Ｎは、所定の時間、光分波部２０から光信号を受信しなかった場合に、光ファイバー伝送路３２を介して、シャットダウン制御部６に入力断信号３３ａ−３３ｎを送信する。
【００３８】
シャットダウン制御部６は、反射光検出部５から送信されてくる反射光検出信号５ａと入力断検出部３１Ａ−３１Ｎから送信されてくる入力断信号３３ａ−３３ｎに基づいて、以下のように、シャットダウン制御判定を行う。
【００３９】
シャットダウン制御部６は、反射光検出信号５ａを受信したが、入力断信号３３ａ−３３ｎの何れも受信していない場合には、シャットダウン制御を行なわない。すなわち、光増幅部３に対してシャットダウン制御信号６ａを発することなく、光増幅器１０の動作を続行させる。
【００４０】
例えば、トランスポンダ３０Ａの動作中に新たにトランスポンダ３０Ｂを増設した場合、トランスポンダ３０Ａの入力断検出部３１Ａから入力断信号３３ａを受信することなく、反射光検出部５から反射光検出信号５ａを受信した場合、シャットダウン制御部６は、トランスポンダ３０Ｂを増設したことにより、反射光が規定値より増加したためと判断し、光増幅部３に対するシャットダウン制御を行なわない。これにより、運用中のトランスポンダ３０Ａの回線断を回避することが可能である。
【００４１】
また、シャットダウン制御部６は、反射光検出信号５ａを受信し、かつ、入力断信号３３ａを受信したが、入力断信号３３ｂ−３３ｎを受信していない場合には、シャットダウン制御を行なわない。すなわち、光増幅部３に対してシャットダウン制御信号６ａを発することなく、光増幅器１０の動作を続行させる。
【００４２】
これに対して、シャットダウン制御部６は、反射光検出信号５ａを受信し、かつ、全ての入力断信号３３ａ−３３ｎを受信した場合には、各トランスポンダ３０Ａ−３０Ｎ間における反射量が規定値より増加したと判断し、シャットダウン制御を行なう。すなわち、光増幅部３に対してシャットダウン制御信号６ａを発し、光増幅器１０の動作を停止させる。
【００４３】
以上のように、本実施形態に係る波長分割多重伝送システム１００においては、反射光検出部５からの反射光検出信号５ａ及び全入力断検出部３１Ａ−３１Ｎからの入力断信号３３ａ−３３ｎを受信した場合にのみ、光増幅部３に対してシャットダウン制御を実行する。
【００４４】
このため、既設のトランスポンダ（例えば、トランスポンダ３０Ａ）に加えてトランスポンダ（例えば、トランスポンダ３０Ｂ）を新設するような場合、現に運用中のトランスポンダから入力断信号が送信されない限りは、シャットダウン制御部６は光増幅部３に対して光信号の出力を停止するシャットダウン制御を実行しないため、現に運用中のトランスポンダの回線の光信号の出力を停止することを防止することができる。
【００４５】
さらに、光増幅部３に対するシャットダウン制御の実行または非実行は各トランスポンダ３０Ａ−３０Ｎの運用状態に合わせて自動的に決定されるため、本波長分割多重伝送システム１００の管理者はシャットダウン制御の実行または非実行の切り替えを行う必要がない。
【００４６】
なお、本実施形態においては、入力断検出部３１Ａ−３１Ｎは、所定の時間内に光信号を受信しなかった場合に、シャットダウン制御部６に入力断信号を送信するものとして構成されているが、例えば、光増幅器１０から所定の周波数を有するパルス信号を所定の時間間隔で各入力断検出部３１Ａ−３１Ｎに送信し、各入力断検出部３１Ａ−３１Ｎがこのパルス信号を受信しなかった場合に、シャットダウン制御部６に入力断信号を送信するものとして構成することも可能である。
【００４７】
図２は、本発明の第二の実施形態に係る波長分割多重伝送システム２００の構成を示す機能ブロック図である。
【００４８】
本実施形態に係る光波長分割多重伝送システム２００は、第一の実施形態に係る光波長分割多重伝送システム１００と比較して、各トランスポンダ３０Ａ−３０Ｎの構造が異なっている。すなわち、各トランスポンダ３０Ａ−３０Ｎは、入力断検出部３１Ａ−３１Ｎに加えて、実装状態出力部３４Ａ−３４Ｎを備えている。各トランスポンダ３０Ａ−３０Ｎが実装状態出力部３４Ａ−３４Ｎを備えている点を除いて、本実施形態に係る光波長分割多重伝送システム２００は第一の実施形態に係る光波長分割多重伝送システム１００と同一の構造を有している。
【００４９】
実装状態出力部３４Ａ−３４Ｎは、トランスポンダ３０Ａ−３０Ｎを本光波長分割多重伝送システム２００に設置した場合に、各トランスポンダ３０Ａ−３０Ｎの初期化が終了し、各トランスポンダ３０Ａ−３０Ｎが使用可能の状態になったときに、光ファイバー伝送路３５を介して、シャットダウン制御部６に使用可能信号３６ａ−３６ｎを送信する。
【００５０】
シャットダウン制御部６は、使用可能信号３６ａ−３６ｎを受信していないトランスポンダから送信されてきた入力断信号３３ａ−３６ｎは無視する。
【００５１】
これにより、使用可能な状態になっていないトランスポンダから誤って入力断信号が送信されてきた場合であっても、そのような入力断信号は誤信号として無視することが可能である。
【００５２】
上述の第一及び第二の実施形態に係る光波長分割多重伝送システム１００及び２００の動作は、コンピュータが読み取り可能な言語で記述されたコンピュータプログラムによっても実行可能である。
【００５３】
コンピュータプログラムによりシャットダウン制御部６を動作させる場合には、例えば、シャットダウン制御部６にプログラム記憶用のメモリーを設け、そのメモリーにコンピュータプログラムを格納する。シャットダウン制御部６はメモリーからそのコンピュータプログラムを読み出すことにより、そのコンピュータプログラムに従って、上述のような動作を実行する。
【００５４】
さらには、そのようなコンピュータプログラムを格納した記憶媒体をシャットダウン制御部６にセットすることにより、シャットダウン制御部６がその記憶媒体からそのコンピュータプログラムを読み出し、そのコンピュータプログラムに従って、上述のような動作を実行するようにすることも可能である。
【００５５】
上述のシャットダウン制御部６の機能は各種のコマンドを含むプログラムとして実現可能であり、コンピュータによって読み取り可能な記憶媒体を介して提供することが可能である。ここに、「記憶媒体」の語は、データを記録することができるあらゆる媒体を含むものとする。
【００５６】
【発明の効果】
以上のように、本発明に係る波長分割多重伝送システムにおいては、反射光検出部からの反射光検出信号及び全入力断検出部からの入力断信号３を受信した場合にのみ、光増幅部に対してシャットダウン制御を実行する。
【００５７】
このため、既設のトランスポンダに加えてトランスポンダを新設するような場合、現に運用中のトランスポンダから入力断信号が送信されない限りは、シャットダウン制御部は光増幅部に対して光信号の出力を停止するシャットダウン制御を実行しないため、現に運用中のトランスポンダの回線の光信号の出力を停止することを防止することができる。
【００５８】
さらに、光増幅部に対するシャットダウン制御の実行または非実行は各トランスポンダの運用状態に合わせて自動的に決定されるため、本波長分割多重伝送システムの管理者はシャットダウン制御の実行または非実行の切り替えを行う必要がない。
【図面の簡単な説明】
【図１】本発明の第一の実施形態に係る波長分割多重伝送システムの構造を示す機能ブロック図である。
【図２】本発明の第二の実施形態に係る波長分割多重伝送システムの構造を示す機能ブロック図である。
【図３】従来の波長分割多重伝送システムの構造を示す機能ブロック図である。
【符号の説明】
１００　第一の実施形態に係る波長分割多重伝送システム
２００　第二の実施形態に係る波長分割多重伝送システム
１　ＷＤＭ信号
２　光ファイバー伝送路
３　光増幅部
４　光分岐器
５　反射光検出器
６　シャットダウン制御部
１０　光増幅器
２０　光分波器
３０Ａ−３０Ｎ　トランスポンダ
３１Ａ−３１Ｎ　入力断検出部
３２、３５　光ファイバー伝送路
３４Ａ−３４Ｎ　実装状態出力部
４０　ディスプレイ
【図１】
2004147055.tif 000003
【図２】
2004147055.tif 000004
【図３】
2004147055.tif 000005